(57)【要約】【課題】機器の使用時間を考慮して効率的なデータ通信が可能な通信システムを提供するする。【解決手段】通信システムは、２次電池を駆動電源として動作するルータ装置と、ルータ装置を介してネットワークと接続され、それぞれネットワークを用いたデータ通信を実行することが可能な複数の端末装置とを備える。各端末装置は、ルータ装置から２次電池を駆動電源としてルータ装置を利用可能な残量時間を取得する残量時間取得手段と、端末装置の通信要求時間と比較する比較手段と、比較手段の比較結果に基づいて自機あるいは他機の端末装置の通信接続を制御する通信制御手段とを含む。【選択図】図２
2014036303.tif 000002
【特許請求の範囲】
【請求項１】
２次電池を駆動電源として動作するルータ装置と、
前記ルータ装置を介してネットワークと接続され、それぞれ前記ネットワークを用いたデータ通信を実行することが可能な複数の端末装置とを備え、
各前記端末装置は、
前記ルータ装置から前記２次電池を駆動電源として前記ルータ装置を利用可能な残量時間を取得する残量時間取得手段と、
前記端末装置の通信要求時間と比較する比較手段と、
前記比較手段の比較結果に基づいて自機あるいは他機の端末装置の通信接続を制御する通信制御手段とを含む、通信システム。
【請求項２】
前記端末装置の通信要求時間は、ユーザにより入力される、請求項１記載の通信システム。
【請求項３】
前記端末装置は、優先的に使用する機器を示す優先度を設定するための優先度設定手段をさらに含み、
前記端末装置の前記通信制御手段は、
前記比較手段の比較結果に基づいて他機の端末装置との通信を実行し、
前記自機および前記他機の端末装置の優先度を比較し、
前記比較結果に基づいて前記自機の端末装置の優先度が前記他機の端末装置の優先度よりも高い場合には前記ルータ装置との通信接続を切断するように前記他機の端末装置に指示する、請求項１記載の通信システム。
【請求項４】
前記端末装置の前記通信制御手段は、
前記比較結果に基づいて前記自機の端末装置の優先度が前記他機の端末装置の優先度よりも高くない場合には前記ルータとの通信接続を切断する、請求項３記載の通信システム。
【請求項５】
前記ルータ装置は、
前記複数の端末装置のうちの少なくとも１つの端末装置から通信接続の要求を受けた場合には、通信接続により前記２次電池を駆動電源として前記ルータ装置を利用可能な残量時間を算出する算出手段と、
前記算出手段により算出された残量時間を各前記端末装置に通知する通知手段とを含む、請求項１〜４のいずれかに記載の通信システム。
【発明の詳細な説明】
【技術分野】
【０００１】
この発明は、通信システムに関し、２次電池を有するルータ装置を含む通信システムに関する。
【背景技術】
【０００２】
近年、ネットワーク技術の発展により、モバイルコンピューティングが普及しており、ルータ装置についても、手軽に持ち運べるコンパクトな製品が開発されてる。この点で２次電池を電源として利用するタイプのものが挙げられ、２次電池の機能の低下を抑制する種々の方式が提案されている（特許文献１および２）。
【０００３】
ルータ装置は、複数の機器と並列的にデータ通信することが可能に構成されているため、機器の数が多ければ多いほど、通信処理に応じた消費電力が増大し、２次電池の電池残量が減少する。
【０００４】
一方で、複数の機器のユーザの使用時間はそれぞれ異なるため使用時間を考慮して通信接続を制御することにより２次電池の電池残量の減少を抑制して長時間の利用が可能となる。
【先行技術文献】
【特許文献】
【０００５】
【特許文献１】特開２０１０−１７６５３０号公報
【特許文献２】特許第４５７６４６２号
【発明の概要】
【発明が解決しようとする課題】
【０００６】
本発明は上記のような問題を解決するためになされたものであって、機器の使用時間を考慮して効率的なデータ通信が可能な通信システムを提供することを目的とする。
【課題を解決するための手段】
【０００７】
本発明のある局面に従う通信システムは、２次電池を駆動電源として動作するルータ装置と、ルータ装置を介してネットワークと接続され、それぞれネットワークを用いたデータ通信を実行することが可能な複数の端末装置とを備える。各端末装置は、ルータ装置から２次電池を駆動電源としてルータ装置を利用可能な残量時間を取得する残量時間取得手段と、端末装置の通信要求時間と比較する比較手段と、比較手段の比較結果に基づいて自機あるいは他機の端末装置の通信接続を制御する通信制御手段とを含む。
【０００８】
好ましくは、端末装置の通信要求時間は、ユーザにより入力される。
好ましくは、端末装置は、優先的に使用する機器を示す優先度を設定するための優先度設定手段をさらに含み、端末装置の通信制御手段は、比較手段の比較結果に基づいて他機の端末装置との通信を実行し、自機および他機の端末装置の優先度を比較し、比較結果に基づいて自機の端末装置の優先度が他機の端末装置の優先度よりも高い場合にはルータ装置との通信接続を切断するように他機の端末装置に指示する。
【０００９】
特に、端末装置の通信制御手段は、比較結果に基づいて自機の端末装置の優先度が他機の端末装置の優先度よりも高くない場合にはルータとの通信接続を切断する。
【００１０】
好ましくは、ルータ装置は、複数の端末装置のうちの少なくとも１つの端末装置から通信接続の要求を受けた場合には、通信接続により２次電池を駆動電源としてルータ装置を利用可能な残量時間を算出する算出手段と、算出手段により算出された残量時間を各端末装置に通知する通知手段とを含む。
【発明の効果】
【００１１】
機器の使用時間を考慮して効率的なデータ通信が可能である。
【図面の簡単な説明】
【００１２】
【図１】一実施の形態による通信システムの構成を説明する図である。
【図２】携帯電話機１０および端末装置２０の機能ブロック図である。
【図３】本発明の実施の形態に従う端末装置２０Ａの通信接続を説明するフロー図である。
【図４】本発明の実施の形態に従う通信設定の画面を説明する図である。
【図５】本発明の実施の形態に従う通信継続許可判断処理を説明するフロー図である。
【図６】本発明の実施の形態に従う携帯電話機１０の処理を説明するフロー図である。
【図７】携帯電話機１０と、複数の端末装置との通信接続の関係を説明する具体例である。
【図８】携帯電話機１０と、複数の端末装置との接続の関係を説明する別の具体例である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
以下、実施の形態について図面を参照して詳しく説明する。以下の説明では、ルータ機能を備えたスマートフォンなどの携帯電話機（携帯通信端末）をルータ装置として用いた例について説明する。もっとも、この発明の適用対象は携帯電話機に限られるものでなく、電話機能を備えていないルータ装置もこの発明の実施の形態の１つである。
【００１５】
［通信システムの全体構成］
図１は、一実施の形態による通信システムの構成を説明する図である。
【００１６】
図１を参照して、携帯電話機１０は、基地局２と電話通信網（ネットワーク）を介して接続されている。また、複数の端末装置２０Ａ〜２０Ｃ（総称して端末装置２０とも称する）（本例においては３台）が設けられており、各端末装置２０Ａ〜２０Ｃは、携帯電話機１０と無線ＬＡＮ通信（ＷｉＦｉ通信）を実行することが可能なように構成されている。
【００１７】
本例においては、携帯電話機１０がルータ機能を備えており、各端末装置２０Ａ〜２０Ｃが携帯電話機１０を介してネットワークと接続される構成について説明する。
【００１８】
図２は、携帯電話機１０および端末装置２０の機能ブロック図である。
図２を参照して、携帯電話機１０（ルータ装置とも称する）は、ＣＰＵ（Central  Processing  Unit）１１、メモリ１２（ＲＡＭ（Random  Access  Memory）、ＲＯＭ（Read  Only  Memory）、不揮発性メモリ等）、２次電池１３、無線通信部１５（外部ネットワーク用）、無線通信部１６（内部ネットワーク用）、各部を接続する内部バス１７と、アンテナ１８とを含む。
【００１９】
ＣＰＵ１１は、メモリ１２に格納されたプログラムを実行することによって、携帯電話機１０の全体の動作を制御する。なお、後述するフローもメモリ１２に格納されたプログラムを実行することにより実現される。
【００２０】
無線通信部１５（外部ネットワーク用）は、ＣＰＵ１１の指令に基づいて、アンテナ１８を介して無線基地局との間で無線通信を実行する。
【００２１】
無線通信部１６（内部ネットワーク用）は、ＣＰＵ１１の指令に基づいて、アンテナ１８を介して各端末装置２０Ａ〜２０Ｃとの間で無線ＬＡＮ通信を実行する。
【００２２】
２次電池１３は、携帯電話機１０の駆動電源として用いられる。
なお、ここでは、携帯電話機１０の電話機能や、ユーザが携帯電話機１０に数字および文字などの入力操作を行なうためのハードウェアキー等の入力機能については図示を省略している。
【００２３】
端末装置２０Ａ（子機とも称する）は、ＣＰＵ（Central  Processing  Unit）２１Ａ、メモリ２２Ａ、２次電池２３Ａ、無線通信部２４Ａ、ＬＣＤ２５Ａ、入力部２６Ａ、アンテナ２７Ａ、各部を接続するための内部バス２８Ａと、タイマ２９Ａとを含む。
【００２４】
ＣＰＵ２１Ａは、メモリ２２Ａに格納されたプログラムを実行することによって、端末装置２０Ａの全体の動作を制御する。なお、後述するフローもメモリ２２Ａに格納されたプログラムを実行することにより実現される。
【００２５】
無線通信部２４Ａは、ＣＰＵ２１Ａの指令に基づいて、アンテナ２７Ａを介して携帯電話機１０との間で無線通信を実行する。
【００２６】
２次電池２３Ａは、端末装置２０Ａの駆動電源として用いられる。
タイマ２９Ａは、計時機能を有し、必要に応じてＣＰＵ２１Ａに時間情報を出力する。なお、本例においては、ＣＰＵ２１Ａは、タイマ２９Ａを用いてデータ通信を開始してからの経過時間に関する情報を取得可能である。
【００２７】
ＬＣＤ２５Ａは、情報を表示する表示部であり、一例として、本例においては液晶ディスプレイの場合について説明するが、特に液晶に限られず、有機ＥＬ等を用いるようにしても良い。
【００２８】
入力部２６Ａは、情報を入力する入力インターフェイスである。
端末装置２０Ｂについても端末装置２０Ａと同様の構成である。
【００２９】
当該端末装置２０Ａおよび２０Ｂは、携帯電話機１０（ルータ装置）を介して互いに通信しることも可能である。また、図１で説明した端末装置２０Ｃについても端末装置２０Ａあるいは２０Ｂと基本的には同様の構成であるのでその詳細な説明については省略する。
【００３０】
［端末装置側の通信接続手順］
図３は、本発明の実施の形態に従う端末装置２０Ａの通信接続を説明するフロー図である。なお、端末装置２０Ｂ、２０Ｃについても同様である。当該フローは、ＣＰＵ２１Ａがメモリ２２Ａに格納されているプログラムを実行することにより実現される。
【００３１】
図３を参照して、まず、通信設定の開始の指示が有るかどうかを判断する（ステップＳ２）。具体的には、ＣＰＵ２１Ａは、端末装置２０Ａの入力部２６Ａを介して通信接続のための通信設定の開始の指示の入力が有ったかどうかを判断する。例えば、一例として端末装置２０Ａの入力部２６Ａの一部として通信設定の開始ボタンが設けられているものとする。
【００３２】
ステップＳ２において、ＣＰＵ２１Ａは、通信設定の開始の指示が有ると判断した場合（ステップＳ２においてＹＥＳ）には、ＬＣＤ２５Ａに対して通信設定の画面（図４）を表示する（ステップＳ４）。
【００３３】
次に、ＣＰＵ２１Ａは、通信設定の画面において設定が完了したかどうかを判断する（ステップＳ６）。
【００３４】
ＣＰＵ２１Ａは、通信設定の画面において、設定が完了したと判断した場合（ステップＳ６においてＹＥＳ）には、通信接続を要求する（ステップＳ８）。ＣＰＵ２１Ａは、無線通信部２４Ａに指示してアンテナ２７Ａを介して携帯電話機１０に対して通信接続要求信号を送信する。
【００３５】
そして、次に、通信接続処理を実行する（ステップＳ１０）。具体的には、ＣＰＵ２１Ａは、無線通信部２４Ａを介して携帯電話機１０からの応答信号を受信して、通信接続処理を実行する。
【００３６】
次に、ＣＰＵ２１Ａは、無線通信部２４Ａを介して携帯電話機１０から送信される電池残量情報（電池残量時間）を取得したかどうかを判断する（ステップＳ１２）。
【００３７】
ステップＳ１２において、ＣＰＵ２１Ａは、無線通信部２４Ａを介して携帯電話機１０から送信される電池残量情報を取得したと判断した場合（ステップＳ１２においてＹＥＳ）には、通信継続許可判断処理を実行する（ステップＳ１４）。通信継続許可判断処理の詳細については後述する。
【００３８】
そして、次に、ＣＰＵ２１Ａは、通信継続許可判断処理の結果として通信継続がＯＫかどうかを判断する（ステップＳ１６）。
【００３９】
ステップＳ１６において、ＣＰＵ２１Ａは、通信継続がＯＫであると判断した場合（ステップＳ１６においてＹＥＳ）には、ステップＳ１２に戻る。
【００４０】
一方、ステップＳ１６において、ＣＰＵ２１Ａは、通信継続がＮＧであると判断した場合（ステップＳ１６においてＮＯ）には、通信切断処理を実行する（ステップＳ１８）。具体的には、ＣＰＵ２１Ａは、無線通信部２４Ａを介して通信切断要求信号を携帯電話機１０に送信する。これによりネットワークから切り離される。
【００４１】
そして、処理を終了する（エンド）。
図４は、本発明の実施の形態に従う通信設定の画面を説明する図である。
【００４２】
図４を参照して、ここでは、端末装置２０Ａに対する通信設定の開始の指示に従ってＬＣＤ２５Ａに通信設定の通信設定画面１００が表示される場合が示されている。
【００４３】
通信設定画面１００には、端末装置２０Ａが携帯電話機１０を用いたデータ通信を使用する使用時間と、端末装置２０Ａのデータ通信の優先度を設定する画面が示されている。
【００４４】
具体的には、使用時間について使用時間を設定する設定領域１０２が設けられており、ユーザが入力部２６Ａを用いて任意に使用を希望する時間を入力することが可能である。また、優先度の高、低のラジオボタン１０４が設けられており、選択的にいずれか一方のラジオボタンを選択することが可能である。
【００４５】
そして、「ＯＫ」ボタン１０６を押下することにより、通信設定画面１００に入力された設定内容が確定される。すなわち、通信設定が完了したと判断される。一方、「Ｃａｎｃｅｌ」ボタン１０８を押下した場合には、通信設定に関する処理を終了するものとする。
【００４６】
図５は、本発明の実施の形態に従う通信継続許可判断処理を説明するフロー図である。
図５を参照して、まず、ＣＰＵ２１Ａは、通信要求時間を取得する（ステップＳ２０）。具体的には、ＣＰＵ２１Ａは、タイマ２９Ａにアクセスしてデータ通信を開始してからの経過時間を取得し、通信設定画面で入力した使用時間から当該経過時間を減算して通信要求時間を取得する。
【００４７】
そして、次に、ＣＰＵ２１Ａは、通信要求時間と電池残量時間とを比較する（ステップＳ２２）。
【００４８】
そして、ＣＰＵ２１Ａは、電池残量時間が通信要求時間以上であるかどうかを判断する（ステップＳ２４）。
【００４９】
ステップＳ２４において、ＣＰＵ２１Ａは、電池残量時間が通信要求時間以上であると判断した場合（ステップＳ２４においてＹＥＳ）には、ステップＳ２６に進む。
【００５０】
そして、ＣＰＵ２１Ａは、他の子機（端末装置）から切断指令が有るかどうかを判断する（ステップＳ２６）。具体的には、ＣＰＵ２１Ａは、無線通信部２４Ａを介して他の子機（端末装置）から送信された切断指令を受け付けたかどうかを判断する。
【００５１】
ステップＳ２６において、ＣＰＵ２１Ａは、別の子機からの切断指令が有ると判断した場合（ステップＳ２６においてＹＥＳ）には、切断要求画面を表示する（ステップＳ３０）。図示しないがＣＰＵ２１Ａは、ＬＣＤ２５Ａに「ルータ装置の電池残量に基づいてデータ通信を切断することが要求されています」等が表示された切断要求画面をポップアップ表示してデータ通信が切断されることを通知する。
【００５２】
そして、次に、ＣＰＵ２１Ａは、通信継続ＮＧとする（ステップＳ３２）。そして、処理を終了する（リターン）。これによりデータ通信の切断処理が実行される。
【００５３】
この場合の処理としては、自機のデータ通信に関しては、電池残量時間と通信要求時間とを比較して、電池残量時間が通信要求時間以上である場合であっても例えば他の子機が当該条件を満たしていない場合があり、その場合には後述する優先度の比較に基づいて優先度の高い他の子機からの切断指令を受け付ける場合がある。優先度の高い子機からの切断指令を受け付けた場合には、当該受け付けた自機のデータ通信の切断処理を実行することによりルータ装置の電池残量時間を延ばし優先度の高い他の子機がデータ通信する時間を延ばすことが可能である。すなわち、優先度の高い他の子機について使用時間を満たさない場合には、自機のデータ通信を切断することにより優先度の高い他の子機を優先して効率的なデータ通信を実行することが可能である。
【００５４】
一方、ステップＳ２６において、ＣＰＵ２１Ａは、別の子機からの切断指令が無いと判断した場合（ステップＳ２６においてＮＯ）には、通信継続ＯＫとする（ステップＳ２８）。
【００５５】
そして、処理を終了する（リターン）。これによりデータ通信が継続される。
ステップＳ２４において、ＣＰＵ２１Ａは、電池残量時間が通信要求時間以上で無いと判断した場合（ステップＳ２４においてＮＯ）には、通信接続されている他の子機が有るかどうかを判断する（ステップＳ３４）。
【００５６】
ステップＳ３４において、ＣＰＵ２１Ａは、通信接続されている他の子機が有ると判断した場合（ステップＳ３４においてＹＥＳ）には、他の子機と通信する（ステップＳ３６）。具体的には、ＣＰＵ２１Ａは、無線通信部２４Ａにより携帯電話機１０を介して他の子機（端末装置）とデータ通信する。その際、他の子機（端末装置）に設定されているデータ通信の優先度に関する情報を取得する。
【００５７】
次に、ＣＰＵ２１Ａは、優先度を比較する（ステップＳ３８）。データ通信により取得した他の子機（端末装置）で設定されている優先度と自機で設定されている優先度とを比較する。
【００５８】
次に、ＣＰＵ２１Ａは、自機の優先度が高いかどうかを判断する（ステップＳ４０）。
ステップＳ４０において、ＣＰＵ２１Ａは、自機の優先度が高いと判断した場合（ステップＳ４０においてＹＥＳ）には、切断指令を送信する（ステップＳ４２）。すなわち、ＣＰＵ２１Ａは、無線通信部２４Ａにより携帯電話機１０を介して他の子機（端末装置）に切断指令を送信する。
【００５９】
そして、ＣＰＵ２１Ａは、通信継続ＯＫとする（ステップＳ４４）。そして、処理を終了する（リターン）。これによりデータ通信が継続される。
【００６０】
この場合の処理としては、自機のデータ通信に関しては、電池残量時間と通信要求時間とを比較して、電池残量時間が通信要求時間未満である場合であっても例えば他の子機のデータ通信を切断すれば電池残量時間が延びて、当該条件を満たす可能性がある。それで、優先度の比較に基づいて優先度の低い他の子機に切断指令を送信し、データ通信の切断処理を実行することによりルータ装置の電池残量時間を延ばし優先度の高い自機がデータ通信する時間を延ばすことが可能である。すなわち、ルータ装置の２次電池の電池残量と自機の使用時間とを比較して、使用時間を満たさない場合であっても、優先度の低い他の子機のデータ通信を切断することにより優先度の高い自機を優先して効率的なデータ通信を実行することが可能である。
【００６１】
ステップＳ４０において、ＣＰＵ２１Ａは、自機の優先度が高くないと判断した場合（ステップＳ４０においてＮＯ）には、通信継続ＮＧとする。そして、処理を終了する（リターン）。これによりデータ通信の切断処理が実行される。
【００６２】
この場合の処理として、自機のデータ通信に関しては、電池残量時間と通信要求時間とを比較して、電池残量時間が通信要求時間未満である場合には他の子機とデータ通信した結果、自機の優先度が他の子機よりも低い場合には、優先度が高い他の子機を優先して、自機のデータ通信を切断する。これにより、電池残量時間が延びて、優先度の高い他の子機がデータ通信する時間を延ばすことが可能である。すなわち、ルータ装置の２次電池の電池残量と自機の使用時間とを比較して、使用時間を満たさない場合に、優先度の低い自機のデータ通信を切断することにより、優先度の高い他の子機を優先して効率的なデータ通信を実行することが可能である。
【００６３】
ステップＳ３４において、ＣＰＵ２１Ａは、他の子機が無いと判断した場合（ステップＳ３４においてＮＯ）には、設定変更を要求する（ステップＳ４８）。具体的には、ＣＰＵ２１Ａは、無線通信部２４Ａにより携帯電話機１０のルータ機能の設定の変更を要求する。具体的には、無線通信の処理を遅くして、携帯電話機１０の２次電池１３の電池残量の減少速度を抑制する。
【００６４】
そして、ＣＰＵ２１Ａは、通信継続ＯＫとする（ステップＳ５０）。
そして、処理を終了する（リターン）。これによりデータ通信が継続される。
【００６５】
図６は、本発明の実施の形態に従う携帯電話機１０の処理を説明するフロー図である。
図６を参照して、ＣＰＵ１１は、通信接続要求／通信切断要求が有るかどうかを判断する（ステップＳ６０）。具体的には、ＣＰＵ１１は、無線通信部１６を介して子機（端末装置）から通信接続要求信号／通信切断要求信号を受信したかどうかを判断する。
【００６６】
ステップＳ６０において、ＣＰＵ１１は、通信接続要求／通信切断要求が有ると判断した場合（ステップＳ６０においてＹＥＳ）には、通信接続処理／通信切断処理を実行する（ステップＳ６２）。ＣＰＵ１１は、通信接続要求信号に従って当該信号を送信した子機（端末装置）に応答信号を送信する。当該応答信号には、データ通信に必要な各種の制御データ等も含まれるものとする。ＣＰＵ１１は、当該通信接続処理に従い通信要求信号を送信してきた子機（端末装置）に関する情報をメモリ１２に登録してネットワークを形成する。各子機（端末装置）それぞれに対して実行するものとする。
【００６７】
次に、ＣＰＵ１１は、平均使用電流を算出する（ステップＳ６４）。具体的には、ネットワークに接続されている子機（端末装置）の台数および携帯電話機１０の使用状況に基づく使用電流を算出する。使用電流は、例えば、２次電池からの電流を電流センサを用いて所定期間モニタして、平均使用電流を算出することが可能である。あるいは、２次電池の容量をモニタして平均使用電流を算出するようにしても良い。
【００６８】
次に、ＣＰＵ１１は、使用可能時間を算出する（ステップＳ６６）。具体的には、２次電池１３の残容量から平均使用電流に従って使用可能時間を算出する。
【００６９】
次に、ＣＰＵ１１は、算出結果に基づいて電池残量情報として使用可能時間を通知する（ステップＳ６８）。具体的には、無線通信部１６によりネットワークに接続されている全ての子機（端末装置）に使用可能時間を通知する。また、使用可能時間とともに、メモリ１２に登録されているネットワークを形成（接続）している全ての子機の情報（ＩＰアドレス等）も送信する。そして、ステップＳ６０に戻る。全ての子機の情報が送信されることにより当該情報を受信した子機（端末装置）は当該情報に基づいて他のそれぞれの子機と携帯電話機１０を介してデータ通信することが可能である。
【００７０】
一方、ステップＳ６０において、ＣＰＵ１１は、通信接続要求／通信切断要求が無いと判断した場合（ステップＳ６０においてＮＯ）には、設定変更の要求が有るかどうかを判断する（ステップＳ７０）。具体的には、ＣＰＵ１１は、無線通信部１６を介して子機（端末装置）から設定変更の要求を受け付けたかどうかを判断する。
【００７１】
ステップＳ７０において、ＣＰＵ１１は、設定変更の要求が有ると判断した場合（ステップＳ７０においてＹＥＳ）には、設定変更処理を実行する（ステップＳ７２）。無線通信部における無線通信の処理を遅くして、携帯電話機１０の２次電池１３の電池残量の減少速度を抑制する。なお、一度変更した場合には、再び、設定変更の要求を受け付けないようにすることが可能である。
【００７２】
そして、ステップＳ６０に戻る。
一方、ステップＳ７０において、ＣＰＵ１１は、設定変更の要求が無いと判断した場合（ステップＳ７０においてＮＯ）には、再び、ステップＳ６０に戻る。
【００７３】
すなわち、当該処理により、通信接続要求／通信切断要求があれば全ての子機に対して携帯電話機の電池残量情報として使用可能時間が通知される。そして、各子機について、上記したようにルータ装置の２次電池の電池残量と機器の使用時間とに基づいて効率的なデータ通信を実行する。
【００７４】
図７は、携帯電話機１０と、複数の端末装置との通信接続の関係を説明する具体例である。
【００７５】
図７を参照して、一例として、携帯電話機１０と、３台の端末装置が設けられている場合が示されている。
【００７６】
ここで、携帯電話機１０は、ルータ装置として機能するためルータ装置Ｒとして標記している。
【００７７】
また、端末装置２０Ａ〜２０Ｃについて、それぞれ子機として機能するため子機ＴＡ〜ＴＣとして標記している。
【００７８】
本例においては、子機ＴＡ，ＴＢがルータ装置Ｒと通信接続された状態であり、子機ＴＣについて、新たにルータ装置Ｒとの間で通信接続する場合について説明する。
【００７９】
ここで、子機ＴＣについては、優先度高に設定するとともに、使用時間を３０分に設定したものとする。
【００８０】
また、子機ＴＡの優先度は高、子機ＴＢの優先度は低であるものとする。
そして、子機ＴＣがネットワークに接続された場合、ルータ装置Ｒから２次電池の電池残量時間として３０分の情報を取得したものとする。
【００８１】
子機ＴＣは、使用時間（通信要求時間）と電池残量時間とを比較して電池残量時間の方が短いと判断して、他の子機と通信する。
【００８２】
子機ＴＡは優先度高であり、子機ＴＣと同じ優先度である。一方、子機ＴＢは、優先度低であり、子機ＴＣよりも優先度が低い。
【００８３】
従って、子機ＴＣは、子機ＴＢに対して切断指令を送信する。
これにより、子機ＴＢは、ルータ装置Ｒとの通信接続が切断される。
【００８４】
そして、ルータ装置Ｒは、再び、電池残量時間を計算して子機ＴＡ，ＴＣに出力する。この場合は、ルータ装置Ｒから電池残量時間３０分の通知がされた場合が示されている。
【００８５】
当該方式により、使用用途を考慮して、使用時間よりも電池残量時間が短い場合には、優先度が低い子機を検索して、優先度が低い子機の通信接続を切断することにより優先度が高い子機について効率的なデータ通信を実行することが可能である。
【００８６】
図８は、携帯電話機１０と、複数の端末装置との接続の関係を説明する別の具体例である。
【００８７】
図８を参照して、一例として、携帯電話機１０と、３台の端末装置が設けられている場合が示されている。携帯電話機１０をここでは、ルータ装置として機能するためルータ装置Ｒとして標記している。
【００８８】
また、端末装置２０Ａ〜２０Ｃについて、それぞれ子機として機能するため子機ＴＡ〜ＴＣとして標記している。
【００８９】
本例においては、子機ＴＡ，ＴＢがルータ装置Ｒと通信接続された状態であり、子機ＴＣについて、新たにルータ装置Ｒとの間で通信接続する場合について説明する。
【００９０】
ここで、子機ＴＣについては、優先度低に設定するとともに、使用時間を３０分に設定したものとする。
【００９１】
また、子機ＴＡの優先度は高、子機ＴＢの優先度は低であるものとする。
そして、子機ＴＣがネットワークに接続された場合、ルータ装置Ｒから２次電池の残量時間として３０分の情報を取得したものとする。
【００９２】
子機ＴＣは、使用時間（通信要求時間）と電池残量時間とを比較して電池残量時間の方が短いと判断して、他の子機と通信する。
【００９３】
子機ＴＡは優先度高であり、子機ＴＣの方が優先度が低い。また、子機ＴＢは、優先度低であり、子機ＴＣと同じ優先度である。
【００９４】
従って、子機ＴＣは、自機に関してルータ装置Ｒとの間での通信接続が難しいと判断して、通信継続ＮＧと判断する。すなわち、子機ＴＣは、ルータ装置Ｒとの通信接続を切断する。
【００９５】
当該方式により、使用用途を考慮して、使用時間よりも電池残量時間が短い場合には、優先度が低い子機を検索して、優先度が低い子機が見つからない場合には、自機の通信接続を切断することにより他の優先度が高い子機について効率的なデータ通信を実行することが可能である。
【００９６】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【００９７】
２  基地局、１０  携帯電話機、１１，２１Ａ，２１Ｂ  ＣＰＵ、１２，２２Ａ，２２Ｂ  メモリ、１３，２３Ａ，２３Ｂ  ２次電池、２９Ａ，２９Ｂ  タイマ、１５，１６，２４Ａ，２４Ｂ  無線通信部、１７，２８Ａ，２８Ｂ  内部バス、１８，２７Ａ，２７Ｂ  アンテナ、２０Ａ〜２０Ｃ  端末装置、２６Ａ，２６Ｂ  入力部。
【図１】
2014036303.tif 000003
【図２】
2014036303.tif 000004
【図３】
2014036303.tif 000005
【図４】
2014036303.tif 000006
【図５】
2014036303.tif 000007
【図６】
2014036303.tif 000008
【図７】
2014036303.tif 000009
【図８】
2014036303.tif 000010